(57)【要約】【課題】送風演出を視覚的に行う。【解決手段】遊技筐体１１の上部にドライヤー２３を設ける。送風口２３ａの前方にベース板２４を設ける。ベース板２４に、フラップ取付用風穴２６ａ〜２６ｃを設ける。各取付用風穴２６ａ〜２６ｃに、それぞれフラップ２８〜３０を自由揺動可能に取り付ける。ベース板２４とドライヤー２３の間に、遮風シート３２をスライド移動させる揺動切替装置２５を設ける。遮風シート３２にその長手方向に沿って形状の異なる複数種類の送風用風穴３７を形成する。当たり抽選の結果に応じてベース板２４の背面位置にセットする送風用風穴３７を変えることで、揺動するフラップの枚数が変化する。これにより、送風演出を視覚的に実行することができる。【選択図】図２
2010162174.tif 000002
【特許請求の範囲】
【請求項１】
遊技筐体と、
前記遊技筐体の遊技者に対向する前面に設けられた送風口と、
前記遊技筐体に設けられ、前記送風口よりその前方へ送風する送風手段と、
前記送風口に設けられ、複数の第１風穴を有するベース板と、
前記複数の第１風穴にそれぞれ設けられ、前記第１風穴を塞ぐ閉じ位置と、前記第１風穴を開放する開放位置との間で自由揺動可能な複数の揺動部材と、
遊技状態に応じて、前記複数の揺動部材をそれぞれ個別に前記送風手段からの送風により揺動する揺動状態と、当該送風時に前記閉じ位置で停止する停止状態とのいずれかに切り替える切替手段と、
を備えることを特徴とする遊技機。
【請求項２】
前記切替手段は、前記ベース板及び前記送風手段の間で且つ前記ベース板に対して平行に設けられた長尺の遮風シートと、その長手方向に沿って形成された複数の第２風穴と、遊技状態に応じて前記遮風シートを前記長手方向にスライド移動する移動手段とを備えるとともに、前記複数の第２風穴は、それぞれ前記送風手段の前方に位置した時に、それぞれ前記複数の第１風穴の少なくともいずれか１つに選択的に対向するように形成されていることを特徴とする請求項１記載の遊技機。
【発明の詳細な説明】
【技術分野】
【０００１】
本発明は、ドライヤー等の送風装置を用いて送風演出を行う遊技機に関するものである。
【背景技術】
【０００２】
現在、様々なタイプのパチンコ機が提供されているが、その１つとして、始動入賞口に遊技球が入賞したときに当たり抽選が行われて、液晶ディスプレイなどで図柄の変動表示が行われた後に当たり抽選の結果が表示されるものが知られている。当たり抽選に当選すると遊技者は大量の遊技球を獲得できるため、当たり抽選の結果へ遊技者の興味を抱かせることは遊技への興趣を高めるうえで重要な要素である。このため、当たり抽選の結果に基づいた演出（例えば演出画像の表示、演出音声の出力、及び発射ハンドルの振動）を実行して、当たり抽選の結果への期待感を高めるパチンコ機が各メーカから提供される傾向にあり、また、演出の態様にも様々な工夫が凝らされている（特許文献１及び２参照）。
【０００３】
このような演出態様の一つとして、パチンコ機にドライヤー等の送風装置を設け、パチンコ機の前方（遊技者）に向けて送風を行う送風演出が知られている（特許文献３及び４参照）。特許文献３には、上述の当たり抽選の結果に応じて、送風装置から送風される風の送風温度や送風量を変えることで、遊技者の期待感を高めるようにした遊技機が記載されている。また、特許文献４には、当たり抽選の結果に応じて、送風装置から送風される風の送風方向や送風量を変えることで、遊技者の期待感を高めるようにした遊技機が記載されている。
【特許文献１】特開２００７−２２９１７７号公報
【特許文献２】特開２００８−０２３２３５号公報
【特許文献３】特開２００７−３１９１９４号公報
【特許文献４】特開２００５−３０４６１４号公報
【発明の開示】
【発明が解決しようとする課題】
【０００４】
ところで、特許文献３及び４に記載のように、当たり抽選の結果に応じて送風装置から送風される風の送風量、送風温度、及び送風方向を変える場合に、これらはいずれも目に見えるものではない。このため、当たりが期待される演出であるか否かの区別を遊技者が容易に付けられないおそれがある。その結果、遊技者の遊技に対する興趣を失わせるおそれがある。
【０００５】
本発明は上記問題を解決するためのものであり、送風演出を視覚的に行う遊技機を提供することを目的とする。
【課題を解決するための手段】
【０００６】
上記目的を達成するため、本発明の遊技機は、遊技筐体と、前記遊技筐体の遊技者に対向する前面に設けられた送風口と、前記遊技筐体に設けられ、前記送風口よりその前方へ送風する送風手段と、前記送風口に設けられ、複数の第１風穴を有するベース板と、前記複数の第１風穴にそれぞれ設けられ、前記第１風穴を塞ぐ閉じ位置と、前記第１風穴を開放する開放位置との間で自由揺動可能な複数の揺動部材と、遊技状態に応じて、前記複数の揺動部材をそれぞれ個別に前記送風手段からの送風により揺動する揺動状態と、当該送風時に前記閉じ位置で停止する停止状態とのいずれかに切り替える切替手段と、を備えることを特徴とする。
【０００７】
前記切替手段は、前記ベース板及び前記送風手段の間で且つ前記ベース板に対して平行に設けられた長尺の遮風シートと、その長手方向に沿って形成された複数の第２風穴と、遊技状態に応じて前記遮風シートを前記長手方向にスライド移動する移動手段とを備えるとともに、前記複数の第２風穴は、それぞれ前記送風手段の前方に位置した時に、それぞれ前記複数の第１風穴の少なくともいずれか１つに選択的に対向するように形成されていることが好ましい。
【発明の効果】
【０００８】
本発明の遊技機は、送風口の前方に設けられたベース板の各風穴にそれぞれ揺動部材を設けるとともに、遊技状態に応じて各揺動部材をそれぞれ個別に揺動状態と停止状態とのいずれかに切替可能にしたので、送風による演出（信頼度報知）を視覚的に実行することができる。これにより、当たりが期待される演出であるか否かの区別を遊技者が容易に行うことができる。その結果、遊技者の興趣を高めることができる。
【発明を実施するための最良の形態】
【０００９】
図１に示すようにパチンコ機（遊技機）１０は、遊技筐体１１と、この遊技筐体１１の前面側に取り付けられた遊技盤１２とを備えている。遊技盤１２の盤面上には遊技領域１２ａが形成されており、打ち出された遊技球は遊技領域１２ａを流下する。遊技領域１２ａには始動入賞口１３と通常入賞口１４とが設けられている。遊技球が各入賞口１３，１４に入賞すると予め決められた個数の遊技球が賞球として払い出される。
【００１０】
始動入賞口１３に遊技球が入賞すると、当たりまたはハズレを決定する当たり抽選が行われる。この当たり抽選に当選すると、遊技領域１２ａの下方に設けられたアタッカ１５が所定回数開放される大当たりゲームが実行される。アタッカ１５が開放されると、遊技球の大半がその内面で大入賞口に案内され、多数の賞球を得ることができる。アタッカ１５は、所定個数の遊技球が入賞するか、或いはアタッカ１５が開放されてから所定時間が経過した後に閉じられる。これにより、アタッカ１５の１回の開閉が終了する。
【００１１】
遊技領域１２ａの略中央部には、センター役物１６が設けられている。センター役物１６には、液晶ディスプレイ１７が組み込まれている。始動入賞口１３に遊技球が入賞すると、液晶ディスプレイ１７の画面では、例えば１列が０〜９の数字からなる３列の図柄の変動表示が開始され、図柄が上から下へスクロールする。図柄の変動表示は複数種類の変動パターンのうちからいずれかを選択して行われる。変動表示した図柄は１列ずつ順次（左→右→中の順）停止して、当たり抽選の結果を表示する。また、図柄の変動表示中には、液晶ディスプレイ１７の画面に演出画像を表示する演出が行われる。
【００１２】
遊技筐体１１の下部には、遊技球を遊技領域１２ａに発射するときに回動操作する発射ハンドル１９、賞球が払い出される受け皿２０が設けられている。遊技筐体１１の上部には、送風演出装置２１が設けられている。送風演出装置２１は、図柄の変動表示時（演出画像の表示時）に送風演出を視覚的に行う。
【００１３】
図２及び図３に示すように、送風演出装置２１は、大別して遊技筐体１１に回動自在に組み付けられた前扉１１ａの上部前面に形成された送風口２２（図３では図示を省略）と、ドライヤー（送風手段）２３と、ベース板２４と、揺動切替装置（切替手段）２５とから構成されている。ドライヤー２３は、前扉１１ａの上部で送風口２２の奥に設けられている。ドライヤー２３は、送風口２２から筐体前方に向けて送風を行う。
【００１４】
ベース板２４は、遊技筐体１１の左右方向（以下、単に左右方向という）に延びた長方形状に形成されており、送風口２２を塞ぐように設けられている。このベース板２４には、本発明の第１風穴として、左右方向に延びた長方形状のフリップ取付用（以下、単に取付用という）風穴２６ａ〜２６ｃが上下方向に１列に並べて３個設けられている。
【００１５】
各取付用風穴２６ａ〜２６ｃには、それぞれ取付用風穴２６ａ〜２６ｃの形状に対応した長板状のフラップ（揺動部材）２８〜３０が取り付けられている。各フラップ２８〜３０は、金属や樹脂等の各種材料で形成されている。なお、各フラップ２８〜３０を板状に形成する代わりに、樹脂等でフィルム状に形成してもよい。そして、各フラップ２８〜３０は、それぞれフラップ長手方向に平行なヒンジ軸Ｈを介して、取付用風穴２６ａ〜２６ｃを塞ぐ閉じ位置（図２参照）と、取付用風穴２６ａ〜２６ｃを開放する開放位置（図３参照）との間で自由揺動可能であり、ドライヤー２３からの送風により揺動する。
【００１６】
揺動切替装置２５は、ドライヤー２３とベース板２４との間に設けられており、各フラップ２８〜３０をそれぞれ個別に、ドライヤー２３からの送風により揺動する揺動状態と、送風時に閉じ位置で停止する停止状態とに切り替える。具体的には、ドライヤー２３から各フラップ２８〜３０のそれぞれに対する送風を個別に遮断したり、この遮断を個別に解除したりすることで、各フラップ２８〜３０をそれぞれ停止状態、揺動状態に切り替える。
【００１７】
揺動切替装置２５は、大別して、左右方向に延び且つベース板２４に対して平行に設けられた長尺の遮風シート３２と、第１及び第２スプール３３，３４と、駆動機構（移動手段）３５とから構成されている。遮風シート３２は、その幅がベース板２４の幅（短軸方向長さ）よりも長く形成されている。また、遮風シート３２には、その長手方向に沿って複数種類の送風用風穴３７（第２風穴）が形成されている（図３及び図４参照）。
【００１８】
図４に示すように、送風用風穴３７は、大別して第１送風用風穴３８、第２送風用風穴３９ａ〜３９ｃ（３９ｂ，３９ｃは図７参照）、及び第３送風用風穴４０ａ〜４０ｃ（４０ｂ，４０ｃは図７参照）からなる。第１送風用風穴３８は、取付用風穴２６ａ〜２６ｃの全てに対応した形状、すなわち、取付用風穴２６ａ〜２６ｃを一体化した形状を有している。
【００１９】
第２送風用風穴３９ａ〜３９ｃは、取付用風穴２６ａ〜２６ｃの中のいずれか２つに対応した形状を有している。第２送風用風穴３９ａは、取付用風穴２６ａ，２６ｂに対応した形状、すなわち、取付用風穴２６ａ，２６ｂを一体化した形状を有している。また、第２送風用風穴３９ｂ（図７（Ｂ）参照）は、取付用風穴２６ｂ，２６ｃに対応した形状を有し、第２送風用風穴３９ｃ（図７（Ａ）参照）は、取付用風穴２６ａ，２６ｃに対応した形状を有している。
【００２０】
第３送風用風穴４０ａ〜４０ｃは、取付用風穴２６ａ〜２６ｃの中のいずれか１つに対応した形状を有している。第３送風用風穴４０ａは、取付用風穴２６ａと同じ形状を有している。また、第３送風用風穴４０ｂ（図７（Ｂ）参照）は、取付用風穴２６ｂと同じ形状を有し、第３送風用風穴４０ｃ（図７（Ａ）参照）は、取付用風穴２６ｃと同じ形状を有している。
【００２１】
このように本実施形態では、遮風シート３２に、その長手方向に沿って上述の第１送風用風穴３８、第２送風用風穴３９ａ〜３９ｃ、第３送風用風穴４０ａ〜４０ｃが所定の配列で形成されている。また、遮風シート３２には、送風用風穴３７が形成されていない全マスク部３２ａ（図２参照）も設けられている。
【００２２】
図３に戻って、第１スプール３３はベース板２４の左端部よりも左側に設けられ、第２スプール３４はベース板２４の右端部よりも右側に設けられている。第１スプール３３には、遮風シート３２の左端部がロール状に巻き付けられている。また、第２スプール３４には、遮風シート３２の右端部がロール状に巻き付けられている。
【００２３】
駆動機構３５は、例えばステッピングモータと、このモータの回転駆動力をそれぞれ両スプール３３，３４に伝達するギヤ列とから構成されており、両スプール３３，３４をそれぞれ同時に時計回り・反時計回りに回転させる。両スプール３３，３４がそれぞれ時計回り・反時計回りに回転すると、両スプール３３，３４の間において、遮風シート３２がベース板２４の背面に沿って左方向・右方向にスライド移動する。
【００２４】
なお、図示は省略するが、両スプール３３，３４の間で遮風シート３２がベース板２４に対して平行な状態でスライド移動するように、遮風シート３２の両側縁部をガイドする搬送ガイド（例えばコの字型のレール）が両スプール３３，３４の間に設けられている。これにより、両スプール３３，３４の間での遮風シート３２の撓みが防止される。
【００２５】
遮風シート３２を左右方向にスライド移動させることで、各送風用風穴３８，３９ａ〜３９ｃ，４０ａ〜４０ｃの中の所望の風穴をドライヤー２３の前方位置（ベース板２４の背面位置）にセットすることができる。これにより、例えば第１送風用風穴３８が前方位置にセットされた場合に、第１送風用風穴３８は全ての取付用風穴２６ａ〜２６ｃ（フラップ２８〜３０）に対向する形状を有しているので、ドライヤー２３からの風が各フラップ２８〜３０に吹き付けられる。その結果、各フラップ２８〜３０が揺動する。
【００２６】
第２送風用風穴３９ａが前方位置にセットされた場合に、第２送風用風穴３９ａは取付用風穴２６ａ，２６ｂ（フラップ２８，３０）だけに対向する形状を有しているので、ドライヤー２３からの風がフラップ２８，２９に吹き付けられる一方で、フラップ３０への送風は遮風シート３２により遮られる。その結果、フラップ２８，２９だけが揺動する。また、第２送風用風穴３９ｂ，３９ｃが前方位置にそれぞれセットされた場合も同様にして、フラップ２８，２９、フラップ２９，３０だけがそれぞれ揺動する。
【００２７】
第３送風用風穴４０ａが前方位置にセットされた場合に、第１送風用風穴３８は取付用風穴２６ａ（フラップ２８）だけに対向する形状を有しているので、ドライヤー２３からの風がフラップ２８に吹き付けられる一方で、フラップ２９，３０への送風は遮風シート３２により遮られる。その結果、フラップ２８だけが揺動する。また、第３送風用風穴４０ｂ，４０ｃが前方位置にそれぞれセットされた場合も同様にして、フラップ２９、フラップ３０だけがそれぞれ揺動する。
【００２８】
なお、全マスク部３２ａが前方位置にセットされた場合には、ドライヤー２３からの風が全マスク部３２ａにより遮られてしまうため、フラップ２８〜３０は揺動しない。
【００２９】
図５に示すように、パチンコ機１０の各部の動作は、メイン制御基板４６とサブ制御基板４７とにより制御される。メイン制御基板４６は、パチンコ機１０の出玉に関する制御（当たり抽選、賞球の払い出し、アタッカ１５の駆動等）を行う。メイン制御基板４６には、メインＣＰＵ４８及びメインメモリ４９が設けられている。
【００３０】
メインＣＰＵ４８には、始動入賞センサ５０、大入賞口センサ５１、賞球払い出し装置５２、アタッカ駆動機構５３等が接続されている。始動入賞センサ５０、大入賞口センサ５１は、それぞれ始動入賞口１３、大入賞口（図示せず）に入賞した遊技球を検知し、検知信号をメインＣＰＵ４８に送る。
【００３１】
賞球払い出し装置５２は、始動入賞口１３及び大入賞口等に遊技球が入賞した際に作動して、規定数の遊技球を賞球として払い出す。アタッカ駆動機構５３は、当たり抽選で前述の各当選役に当選した時に、アタッカ１５を規定回数だけ開放させる。なお、遊技球発射装置５４は、図示しない発射制御基板により制御され、発射ハンドル１９の回動操作が行われた時に遊技領域１２ａに遊技球を１球ずつ発射する。
【００３２】
メインＣＰＵ４８は、各センサ５０，５１から入力される信号等に基づいて、メインメモリ４９から読み出した各種プログラムやデータを逐次実行することで、当たり抽選部５６、停止図柄抽選部５７、変動パターン抽選部５８として機能する。なお、メインメモリ４９は、当たり抽選の結果を示すフラグなど遊技に係わるデータの一時的な保存にも使用される。
【００３３】
当たり抽選部５６は、始動入賞センサ５０からの検知信号がメインＣＰＵ４８に入力された時に、乱数を利用した当たり抽選を行い、当たりまたはハズレを決定する。当たり抽選では、その抽選時に抽出された乱数が当たり判定テーブルと比較され、抽出された乱数が当たり乱数か否かを判定することで当たりか否かを決定する。
【００３４】
停止図柄抽選部５７は、当たり抽選の結果に応じて乱数を利用した停止図柄抽選を行い、図柄変動表示後に停止させる図柄の組み合わせを決定する。変動パターン抽選部５８は、乱数を利用した変動パターン抽選を行って図柄の変動パターンを複数種類のうちから決定する。停止図柄抽選や変動パターン抽選は、複数の抽選テーブルの中から当たり抽選の結果に応じた抽選テーブルを選択して行われる。
【００３５】
サブ制御基板４７は、メイン制御基板４６（メインＣＰＵ４８）からの制御信号を受けて作動し、図柄の変動表示や演出（演出画像の表示、送風演出等）に係わる制御を行う。サブ制御基板４７には、サブＣＰＵ６０とサブメモリ６１とが設けられている。
【００３６】
サブＣＰＵ６０には、前述の液晶ディスプレイ１７、ドライヤー２３、駆動機構３５等が接続されている。サブＣＰＵ６０は、サブメモリ６１から読み出した各種プログラムやデータを逐次実行することで、液晶ディスプレイ１７、ドライヤー２３、駆動機構３５の作動を制御する。
【００３７】
サブＣＰＵ６０は、メインＣＰＵ４８からの制御信号等に基づいて、前述の各種プログラム等を逐次実行することで、演出抽選部６３、表示制御部６４、ドライヤー制御部６５、駆動機構制御部６６として機能する。なお、サブメモリ６１には、演出画像を表示するための演出画像データなどが格納されている。
【００３８】
演出抽選部６３は、当たり抽選が終了した時に、乱数を利用した演出抽選を行って演出内容を決定する。演出抽選は、演出画像を決定する演出画像抽選と、各フラップ２８〜３０の中で揺動させるもの（揺動フラップ）を決定する揺動フラップ抽選とからなる。演出画像抽選には、演出画像抽選テーブル６７ａが用いられる。揺動フラップ抽選には、揺動フラップ抽選テーブル６７ｂが用いられる。
【００３９】
各抽選テーブル６７ａ，６７ｂには、乱数発生器で発生される全乱数値が複数の数値範囲にグループ分けされ、それぞれのグループに演出画像、揺動フラップ（全フラップ２８〜３０を揺動、フラップ２８，２９を揺動、・・・フラップ２８を揺動、全フラップ２８〜３０を揺動せずの計８パターン）が割り当てられている。そして、乱数値サンプリング回路により抽出された乱数値がいずれのグループに属するかで、演出画像及び揺動フラップがそれぞれ決定される。
【００４０】
揺動フラップ抽選テーブル６７ｂでは、当たり抽選の結果に応じて揺動フラップの抽選確率が異なるように設定されている。具体的には、当たり抽選で当たりに当選した場合には、外れた場合よりも揺動フラップの数が「３」や「２」になる確率が高く設定されている。従って、遊技者は、図柄変動表示時にフラップ２８〜３０が全て揺動した場合には、当たりを期待することができる。
【００４１】
表示制御部６４は、演出抽選部６３で決定された演出画像に対応する演出画像データをサブメモリ６１から読み出した後、液晶ディスプレイ１７を制御して演出画像を表示させる。ドライヤー制御部６５は、ドライヤー２３による送風を制御する。
【００４２】
駆動機構制御部６６は、揺動フラップ抽選で決定した揺動フラップに応じて、これに対応する各送風用風穴３８，３９ａ〜３９ｃ，４０ａ〜４０ｃ或いは全マスク部３２ａがドライヤー２３の前方位置にセットされるように、駆動機構３５を制御する。なお、各送風用風穴３８，３９ａ〜３９ｃ，４０ａ〜４０ｃや全マスク部３２ａがそれぞれ前方位置にセットされたか否かは、例えば駆動機構３５のステッピングモータに入力されるパルス信号のパルス数をカウントすることで判別することができる。
【００４３】
具体的に、駆動機構制御部６６は、例えば全マスク部３２ａが前方位置にセットされた時を初期位置として、パルスカウント数を０にリセットする。なお、全マスク部３２ａが前方位置にセットされたか否かは、例えば全マスク部３２ａの側縁部に初期位置マークを設けるとともに、この全マスク部３２ａが前方位置にセットされた時に初期位置マークを認識するセンサやカメラ等を設けることで、判別可能である。
【００４４】
次いで、駆動機構制御部６６は、両スプール３３，３４をそれぞれ時計回り・反時計回りに回転させるパルス信号がステッピングモータに１パルス入力される度にパルスカウント数を＋１ずつ増加（時計回り）、−１ずつ減少（反時計回り）させる。ここで、１パルス当たりの遮風シート３２のスライド移動量は一定であり、この遮風シート３２内での各送風用風穴３８，３９ａ〜３９ｃ，４０ａ〜４０ｃや全マスク部３２ａの位置も既知である。従って、各送風用風穴３８，３９ａ〜３９ｃ，４０ａ〜４０ｃがそれぞれ前方位置にセットされた時のパルスカウント数の値を予め求めてデータテーブルに格納しておくことができる。これにより、駆動機構制御部６６は、パルス数カウント結果に基づきデータテーブルを参照することで、各送風用風穴３８，３９ａ〜３９ｃ，４０ａ〜４０ｃをそれぞれ前方位置にセットすることができる。
【００４５】
次に、図６に示すフローチャートを用いて、上記構成のパチンコ機１０の作用について説明を行う。遊技者が発射ハンドル１９を回動操作すると、遊技球が１球ずつ遊技領域１２ａに発射される。遊技領域１２ａを流下する遊技球は、始動入賞口１３や通常入賞口１４に入賞するか、或いは遊技領域１２ａの最下部に設けられたアウト口に入る。
【００４６】
始動入賞口１３に遊技球が入賞すると、始動入賞センサ５０から入賞検知信号がメインＣＰＵ４８に入力されて賞球が払い出される。これと同時に、メインＣＰＵ４８の当たり抽選部５６が作動して当たり抽選が行われる。当たり抽選が終了すると、停止図柄抽選部５７による停止図柄抽選、及び変動パターン抽選部５８による変動パターン抽選が行われる。
【００４７】
また、メインＣＰＵ４８からの制御信号を受けて、サブＣＰＵ６０の演出抽選部６３は乱数発生器で発生される乱数値と、各抽選テーブル６７ａ，６７ｂとに基づき、演出画像抽選・揺動フラップ抽選を行う。各抽選により、演出画像及び揺動フラップが決定する。
【００４８】
次いで、メインＣＰＵ４８からの制御信号を受けて、サブＣＰＵ６０の表示制御部６４は、液晶ディスプレイ１７で図柄の変動表示を開始させるとともに、演出画像抽選で決定された演出画像を液晶ディスプレイ１７に表示させる。また、ドライヤー制御部６５は、ドライヤー２３を作動させて送風を開始させる。
【００４９】
更に、駆動機構制御部６６は、駆動機構３５を制御して、揺動フラップ抽選で決定した揺動フラップに対応する各送風用風穴３８，３９ａ〜３９ｃ，４０ａ〜４０ｃ或いは全マスク部３２ａがドライヤー２３の前方位置にセットされるように、遮風シート３２を左右方向にスライド移動させる。
【００５０】
例えば、揺動フラップが全フラップ２８〜３０である場合には、第１送風用風穴３８が前方位置にセットされる。この場合には、ドライヤー２３からの風が第１送風用風穴３８を介して全フラップ２８〜３０に吹き付けられる。これにより、全フラップ２８〜３０が揺動する。
【００５１】
また、揺動フラップがフラップ２８，２９だけの場合、或いはフラップ２９，３０だけの場合、或いはフラップ２８，３０だけの場合には、第２送風用風穴３９ａ〜３９ｃがそれぞれ前方位置にセットされる。第２送風用風穴３９ａが前方位置にセットされた場合には、ドライヤー２３からの風がそれぞれ第２送風用風穴３９ａを介してフラップ２８，２９に吹き付けられるとともに、フラップ３０への送風は遮風シート３２により遮られる。これにより、フラップ２８，２９だけが揺動する。なお、第２送風用風穴３９ｂ，３９ｃが前方位置にそれぞれセットされた場合も同様にして、それぞれフラップ２８，２９、フラップ２８，３０だけが揺動する。
【００５２】
更に、揺動フラップがフラップ２８だけの場合、或いはフラップ２９だけの場合、或いはフラップ３０だけの場合には、第３送風用風穴４０ａ〜４０ｃがそれぞれ前方位置にセットされる。第３送風用風穴４０ａが前方位置にセットされた場合には、ドライヤー２３からの風がそれぞれ第３送風用風穴４０ａを介してフラップ２８だけに吹き付けられるとともに、フラップ２９，３０への送風は遮風シート３２により遮られる。これにより、フラップ２８だけが揺動する。なお、第３送風用風穴４０ｂ，４０ｃが前方位置にセットされた場合も同様にして、それぞれフラップ２９、フラップ３０だけが揺動する。
【００５３】
また、揺動フラップが無しの場合には、全マスク部３２ａが前方位置にセットされる。この場合には、全フラップ２８〜３０への送風が全マスク部３２ａにより遮られる。これにより、全フラップ２８〜３０が閉じ位置で停止する。本実施形態では、当たり抽選で当たりに当選した時に、フラップの揺動枚数が増える確率が高く設定されているため、全フラップ２８〜３０が揺動している場合には、遊技者は当たりを期待することができる。
【００５４】
図柄変動表示や演出終了後、メインＣＰＵ４８は、当たり抽選で当たりに当選した場合には、アタッカ駆動機構５３を駆動してアタッカ１５を所定回数開閉させる大当たりゲームを実行する。この大当たりゲーム中に、遊技球が大入賞口に入賞した場合には、大入賞口センサ５１から入賞検知信号がメインＣＰＵ４８に入力されて賞球が払い出される。以下、遊技が終了するまで上述の処理が繰り返し実行される。
【００５５】
以上のように本発明では、当たり抽選の結果（遊技状態）に応じて遮風シート３２をスライド移動させて、ドライヤー２３の前方位置にセットされる各送風用風穴３８，３９ａ〜３９ｃ，４０ａ〜４０ｃ等を変えることにより、各フラップ２８〜３０をそれぞれ個別に揺動状態と停止状態とのいずれかに切り替えることができ、送風演出を視覚的に実行することができる。これにより、当たりが期待される演出であるか否かの区別を遊技者が容易に行うことができるため、遊技者の興趣を高めることができる。
【００５６】
上記実施形態では、揺動フラップを抽選で決定し、決定した揺動フラップを演出終了まで揺動させる場合について説明を行ったが、本発明はこれに限定されるものではなく、演出中に揺動するフラップの数を所定の揺動パターンに従って変化させてもよい。この場合には、遮風シート３２に複数の送風用風穴からなる揺動パターンＡ用領域、揺動パターンＢ用領域、・・・を形成する。
【００５７】
具体的には図７（Ａ）に示すように、例えば揺動パターンＡ用領域は、図中左側から右側に向かって順に形成された第１送風用風穴３８、第２送風用風穴３９ｃ、及び第３送風用風穴４０ｃからなる。また、（Ｂ）に示すように、揺動パターンＢ用領域は、図中左側から右側に向かって順に形成された第２送風用風穴３９ｂ、第３送風用風穴４０ｂ、及び第１送風用風穴３８からなる。
【００５８】
また、この場合にサブＣＰＵ６０の演出抽選部６３（図５参照）は、揺動フラップ抽選時と同様にして、当たり抽選の結果に応じて複数種類の揺動パターンの中から１つの揺動パターンを抽選で決定する。
【００５９】
例えば揺動パターンＡが抽選された場合に、駆動機構制御部６６は、駆動機構３５を制御して、開口パターンＡ用領域の第１送風用風穴３８をドライヤー２３の前方位置にセットした後、遮風シート３２を左側にスライド移動させる。このスライド移動は、第３送風用風穴４０ｃが前方位置にセットされるまで行われる。これにより、ドライヤー２３の前方位置には、第１送風用風穴３８、第２送風用風穴３９ｃ、及び第３送風用風穴４０ｃが順番にセットされる。その結果、揺動するフラップの数が揺動パターンＡ（３枚、２枚、１枚）の順番で変化する。
【００６０】
また、揺動パターンＢが抽選された場合も同様にして、ドライヤー２３の前方位置に、第２送風用風穴３９ｂ、第３送風用風穴４０ｂ、及び第１送風用風穴３８が順番にセットされる。その結果、揺動するフラップの数が揺動パターンＢ（２枚、１枚、３枚）の順番で変化する。なお、揺動パターンは上述のパターンに限定されるものではなく、適宜変更してもよい。このように、演出中に揺動するフラップの数を変化させることで、遊技者の興趣をより高めることができる。
【００６１】
上記実施形態では、揺動切替装置２５を用いて揺動するフラップの数を変化させる場合について説明を行ったが、本発明はこれに限定されるものではない。例えば、各フラップ２８〜３０をそれぞれ個別に閉じ位置で解除可能に固定（ロック）することで、揺動するフラップの数を変化させてもよい。なお、上記第１実施形態と機能・構成上同一のものについては同一符号を付してその説明を省略する。
【００６２】
具体的には、図８（Ａ），（Ｂ）に示すように、第２実施形態の送風演出装置６９は、揺動切替装置２５の代わりに、各フラップ２８〜３０をそれぞれ個別に閉じ位置でロックするロック装置７０を備えている。このロック装置７０は、ベース板２４の背面で且つ各フラップ２８〜３０の上方位置にそれぞれ設けられた３個のロック機構７１ａ〜７１ｃから構成される。
【００６３】
各ロック機構７１ａ〜７１ｃは、それぞれ鉛直下方に突出可能なロック片７２を有している。各ロック片７２は、それぞれ各フラップ２８〜３０の背面に当接して各フラップ２８〜３０を閉じ位置でロックするロック位置（（Ａ）参照））と、ロック位置から上方に退避して各フラップ２８〜３０のロックを解除する解除位置（（Ｂ）参照）とに変位可能である。
【００６４】
また、第２実施形態のサブＣＰＵ６０は、上述の駆動機構制御部６６の代わりに、ロック制御部７３として機能する。ロック制御部７３は、ロック装置７０、すなわち、各ロック機構７１ａ〜７１ｃの作動を制御する。このロック制御部７３は、揺動フラップ抽選で決定した揺動フラップに対応するロック機構のロック片７２をロック解除位置に変位させるとともに、他のロック機構のロック片７２をロック位置に変位させる。
【００６５】
例えば、揺動フラップが全フラップ２８〜３０である場合には、全てのロック機構７１ａ〜７１ｃのロック片７２がロック解除位置に変位されるので、ドライヤー２３からの送風により全フラップ２８〜３０が揺動する。
【００６６】
また、揺動フラップがフラップ２８，２９だけの場合には、ロック機構７１ａ，７１ｂのロック片７２はロック解除位置に変位され、ロック機構７１ｃのロック片７２はロック位置に変位される。これにより、ドライヤー２３からの送風によりフラップ２８，２９だけが揺動する。なお、揺動フラップがフラップ２９，３０だけの場合、或いはフラップ２８，３０だけの場合も基本的には同じであるので説明は省略する。
【００６７】
更に、揺動フラップがフラップ２８だけの場合には、ロック機構７１ａのロック片７２はロック解除位置に変位され、ロック機構７１ｂ，７１ｃのロック片７２はロック位置に変位される。これにより、ドライヤー２３からの送風によりフラップ２８だけが揺動する。なお、揺動フラップがフラップ２９だけの場合、或いはフラップ３０だけの場合も基本的には同じであるので説明は省略する。
【００６８】
また、揺動フラップが無しの場合には、全てのロック機構７１ａ〜７１ｃのロック片７２がロック位置に変位されるので、全フラップ２８〜３０が閉じ位置でロックされる。なお、上述の図７（Ａ），（Ｂ）を用いて説明した実施形態のように、抽選で決定した揺動パターンに従ってロック機構７１ａ〜７１ｃを制御することで、演出中に揺動するフラップの数を変化させるようにしてもよい。
【００６９】
このように第２実施形態の送風演出装置６９についても、当たり抽選の結果（遊技状態）に応じて各フラップ２８〜３０をそれぞれ個別に揺動状態と停止状態とのいずれかに切り替えることができるので、上記第１実施形態と同様の効果が得られる。なお、第２実施形態では、各ロック機構７１ａ〜７１ｃを用いる場合について説明を行ったが、本発明はこれに限定されるものではなく、各フラップ２８〜３０を閉じ位置でロック可能であれば、その取付位置・構造は特に限定されない。
【００７０】
上記各実施形態では、ベース板２４に長方形状の取付用風穴２６ａ〜２６ｃが上下方向に１列に並べて３個設けられているとともに、各取付用風穴２６ａ〜２６ｃにそれぞれ長方形状のフラップ２８〜３０が揺動自在に取り付けられている場合を例に挙げて説明を行ったが、本発明はこれに限定されるものではなく、取付用風穴及びフラップの配列数・形状・配列パターン等は適宜変更してもよい。また、第１実施形態では、取付用風穴の配列数・形状・配列パターン等に応じて、送風用風穴の配列数・形状・配列パターンや、遮風シート３２のスライド移動方向を変更してもよい。
【００７１】
上各記実施形態では、送風口より送風を行う送風手段としてドライヤーを例に挙げて説明を行ったが、本発明はこれに限定されるものではなく、ファン等の各種送風機を用いてよい。
【００７２】
上記各実施形態では、送風演出装置を前扉１１ａの上部に設けた場合を例に挙げて説明を行ったが、本発明はこれに限定されるものではなく、前扉１１ａ（遊技筐体１１）の任意の箇所に設けてもよい。
【００７３】
上記各実施形態では、パチンコ機を例に挙げて説明を行ったが、本発明はこれに限定されるものではなく、送風演出を実行可能なスロットマシン等の各種遊技機に本発明を適用することができる。
【図面の簡単な説明】
【００７４】
【図１】本発明のパチンコ機の正面図である。
【図２】送風演出装置の斜視図であり、各フラップが閉じ位置にある状態を示している。
【図３】送風演出装置の斜視図であり、各フラップが開放位置に変位した状態を示している。
【図４】揺動切替装置の遮風シートを説明するための説明図である。
【図５】パチンコ機の電気的構成を説明するための説明図である。
【図６】パチンコ機における送風演出処理の流れを説明するためのフローチャートである。
【図７】（Ａ）は遮風シートに形成された揺動パターンＡ用領域、（Ｂ）は遮風シートに形成された揺動パターンＢ用領域をそれぞれ説明するための説明図である。
【図８】ロック装置を備える他実施形態の送風演出装置の断面図であり、（Ａ）は各フラップを閉じ位置でロックした状態、（Ｂ）は各フラップのロックを解除した状態である。
【符号の説明】
【００７５】
１０  パチンコ機（遊技機）
１１  遊技筐体
２１，６９  送風演出装置
２２  送風口
２３  ドライヤー（送風手段）
２４  ベース板
２５  揺動切替装置（切替手段）
２６ａ〜２６ｃ  フラップ取付用風穴（第１風穴）
２８〜２９  フラップ（揺動部材）
３２  遮風シート
３５  駆動機構（移動手段）
３７  送風用風穴（第２風穴）
３８  第１送風用風穴
３９ａ〜３９ｃ  第２送風用風穴
４０ａ〜４０ｃ  第３送風用風穴
６３  演出抽選部
６６  駆動機構制御部
【図１】
2010162174.tif 000003
【図２】
2010162174.tif 000004
【図３】
2010162174.tif 000005
【図４】
2010162174.tif 000006
【図５】
2010162174.tif 000007
【図６】
2010162174.tif 000008
【図７】
2010162174.tif 000009
【図８】
2010162174.tif 000010